(57)【特許請求の範囲】
【請求項１】
蒸気圧縮式の冷凍サイクルによって室内の暖房を行うヒートポンプ部（６０）と、
前記ヒートポンプ部とは別の熱源によって室内の暖房を行う別熱源部（７０）と、
前記ヒートポンプ部及び前記別熱源部の動作を制御する制御部（８）と、
を備えており、
前記制御部は、前記別熱源部によって室内の暖房を行う別熱源暖房運転から前記ヒートポンプ部によって室内の暖房を行うヒートポンプ暖房運転に切り換える際に、前記別熱源暖房運転を継続させた状態で前記ヒートポンプ暖房運転を開始させ、重複暖房終了条件を満たした後に、前記別熱源暖房運転を終了させるようにしており、
前記重複暖房終了条件は、室内温度から目標室内温度を差し引いた温度差が重複暖房終了空気温度差以上に達することである、
空気調和システム（１）。
【発明の詳細な説明】
【技術分野】
【０００１】
本発明は、空気調和システム、特に、蒸気圧縮式の冷凍サイクルによって室内の暖房を行うヒートポンプ部と、ヒートポンプ部とは別の熱源によって室内の暖房を行う別熱源部とを有する空気調和システムに関する。
【背景技術】
【０００２】
従来より、蒸気圧縮式の冷凍サイクルによって室内の暖房を行うヒートポンプ部と、ヒートポンプ部とは別の熱源であるガスファーネスによって室内の暖房を行う別熱源部とを有する空気調和システムがある。そして、このような空気調和システムとして、特許文献１（特開昭６４−５４１６０号公報）に示すような、外気温度の低下によって、ヒートポンプ部による暖房運転（以下、「ヒートポンプ暖房運転」とする）を、別熱源部による暖房運転（以下、「別熱源暖房運転」とする）に切り換え、外気温度の上昇によって、別熱源暖房運転をヒートポンプ暖房運転に切り換えるものがある。
【発明の概要】
【発明が解決しようとする課題】
【０００３】
上記特許文献１における別熱源暖房運転からヒートポンプ暖房運転への切り換え手法では、ヒートポンプ暖房運転の立ち上がりに時間がかかるため、一時的に室内温度が低下して快適性が損なわれるおそれがある。
【０００４】
本発明の課題は、ヒートポンプ部と別熱源部とを備えた空気調和システムにおいて、別熱源暖房運転からヒートポンプ暖房運転に切り換える際に、一時的に室内温度が低下して快適性が損なわれることを抑えることにある。
【課題を解決するための手段】
【０００５】
第１の観点にかかる空気調和システムは、蒸気圧縮式の冷凍サイクルによって室内の暖房を行うヒートポンプ部と、ヒートポンプ部とは別の熱源によって室内の暖房を行う別熱源部と、ヒートポンプ部及び別熱源部の動作を制御する制御部と、を有している。そして、ここでは、制御部は、別熱源部によって室内の暖房を行う別熱源暖房運転からヒートポンプ部によって室内の暖房を行うヒートポンプ暖房運転に切り換える際に、別熱源暖房運転を継続させた状態でヒートポンプ暖房運転を開始させ、重複暖房終了条件を満たした後に、別熱源暖房運転を終了させるようにしている。
【０００６】
ここでは、上記のように、別熱源暖房運転からヒートポンプ暖房運転に切り換える際に、別熱源部によってヒートポンプ暖房運転の立ち上がり時の暖房能力不足を補助することができる。
【０００７】
これにより、ここでは、別熱源暖房運転からヒートポンプ暖房運転に切り換える際に、一時的に室内温度が低下して快適性が損なわれることを抑えることができる。
【０００８】
しかも、ここでは、重複暖房終了条件を、室内温度から目標室内温度を差し引いた温度差が重複暖房終了空気温度差以上に達することとしている。
【０００９】
ヒートポンプ部と別熱源部とを備えた空気調和システムにおいて、別熱源暖房運転を継続させた状態でヒートポンプ暖房運転を開始させたとき、室内温度から目標室内温度を差し引いた温度差が十分に大きくなる場合には、ヒートポンプ部の暖房能力と別熱源部の暖房能力との合計の暖房能力が十分に大きくなっているため、ヒートポンプ部の暖房能力も十分に大きくなっているもの、すなわち、ヒートポンプ暖房運転が立ち上がっているものと推測できる。
【００１０】
そこで、ここでは、室内温度から目標室内温度を差し引いた温度差に基づいて、ヒートポンプ暖房運転が立ち上がったかどうかを判定するようにしている。
【００１１】
これにより、ここでは、ヒートポンプ暖房運転が立ち上がったかどうかを適切に判定して、別熱源暖房運転からヒートポンプ暖房運転に切り換えることができる。
【００１２】
第２の観点にかかる空気調和システムは、第１の観点にかかる空気調和システムにおいて、ヒートポンプ部が、冷凍サイクルにおける冷媒の放熱によって空気を加熱する冷媒放熱器を有している。そして、重複暖房終了条件は、冷媒放熱器によって加熱された後の空気の温度が重複暖房終了空気温度以上に達することである。
【００１３】
ヒートポンプ部と別熱源部とを備えた空気調和システムにおいて、別熱源暖房運転を継続させた状態でヒートポンプ暖房運転を開始させたとき、ヒートポンプ部を構成する冷媒放熱器によって加熱された後の空気の温度が十分に上昇していれば、ヒートポンプ部の暖房能力が十分に大きくなっているもの、すなわち、ヒートポンプ暖房運転が立ち上がっているものと推測できる。
【００１４】
そこで、ここでは、上記のように、ヒートポンプ部を構成する冷媒放熱器によって加熱された後の空気の温度に基づいて、ヒートポンプ暖房運転が立ち上がったかどうかを判定するようにしている。
【００１５】
これにより、ここでは、ヒートポンプ暖房運転が立ち上がったかどうかを適切に判定して、別熱源暖房運転からヒートポンプ暖房運転に切り換えることができる。
【００１６】
第３の観点にかかる空気調和システムは、第１の観点にかかる空気調和システムにおいて、ヒートポンプ部が、冷凍サイクルにおける冷媒の放熱によって空気を加熱する冷媒放熱器を有しており、別熱源部が、ヒートポンプ部とは別の熱源の放熱によって空気を加熱する別熱源放熱器を有している。また、ここでは、空気調和システムが、冷媒放熱器及び別熱源放熱器の両方によって加熱される空気を室内に供給する室内送風機をさらに有している。そして、重複暖房終了条件は、冷媒放熱器及び別熱源放熱器の両方によって加熱された後の空気の温度及び室内送風機によって室内に供給される空気の流量から算出される暖房能力から別熱源部の暖房能力を差し引いた暖房能力が重複暖房終了能力以上に達することである。
【００１７】
ここでは、上記のように、空気調和システムとして、ヒートポンプ部を構成する冷媒放熱器及び別熱源部を構成する別熱源放熱器の両方によって加熱した後の空気を室内に供給する構成を採用している。このため、別熱源暖房運転を継続させた状態でヒートポンプ暖房運転を開始させたとき、実質的には、別熱源部の暖房能力によって空気の温度が上昇しているだけで、ヒートポンプ部の暖房能力が十分に大きくなっていない場合がある。
【００１８】
そこで、ここでは、上記のように、冷媒放熱器及び別熱源放熱器の両方によって加熱された後の空気の温度及び室内送風機によって室内に供給される空気の流量から算出される暖房能力から別熱源部の暖房能力を差し引いた暖房能力、すなわち、ヒートポンプ部の暖房能力に基づいて、ヒートポンプ暖房運転が立ち上がったかどうかを判定するようにしている。
【００１９】
これにより、ここでは、ヒートポンプ暖房運転が立ち上がったかどうかを適切に判定して、別熱源暖房運転からヒートポンプ暖房運転に切り換えることができる。
【００２０】
第４の観点にかかる空気調和システムは、第１の観点にかかる空気調和システムにおいて、ヒートポンプ部が、冷凍サイクルにおける冷媒の放熱によって空気を加熱する冷媒放熱器を有しており、別熱源部が、ヒートポンプ部とは別の熱源の放熱によって空気を加熱する別熱源放熱器を有している。そして、重複暖房終了条件は、冷媒放熱器及び別熱源放熱器の両方によって加熱された後の空気の温度が重複暖房終了空気温度以上に達することである。
【００２１】
ここでは、上記のように、空気調和システムとして、ヒートポンプ部を構成する冷媒放熱器及び別熱源部を構成する別熱源放熱器の両方によって加熱した後の空気を室内に供給する構成を採用している。このため、別熱源暖房運転を継続させた状態でヒートポンプ暖房運転を開始させたとき、実質的には、別熱源部の暖房能力によって空気の温度が上昇しているだけで、ヒートポンプ部の暖房能力が十分に大きくなっていない場合がある。ここで、別熱源部の暖房能力による空気の温度の上昇分は、別熱源暖房運転を行った場合の別熱源放熱器によって加熱された後の空気の温度から推定することができる。このため、冷媒放熱器及び別熱源放熱器の両方によって加熱された後の空気の温度を知ることができれば、ヒートポンプ暖房運転による空気の温度の上昇分も推定することができる。
【００２２】
そこで、ここでは、上記のように、冷媒放熱器及び別熱源放熱器の両方によって加熱された後の空気の温度に基づいて、ヒートポンプ暖房運転が立ち上がったかどうかを判定するようにしている。
【００２３】
これにより、ここでは、ヒートポンプ暖房運転が立ち上がったかどうかを適切に判定して、別熱源暖房運転からヒートポンプ暖房運転に切り換えることができる。
【００２４】
第５の観点にかかる空気調和システムは、第１の観点にかかる空気調和システムにおいて、ヒートポンプ部が、冷凍サイクルにおける冷媒の放熱によって空気を加熱する冷媒放熱器を有しており、別熱源部が、ヒートポンプ部とは別の熱源の放熱によって空気を加熱する別熱源放熱器を有している。また、ここでは、空気調和システムが、冷媒放熱器及び別熱源放熱器の両方によって加熱される空気を室内に供給する室内送風機をさらに有している。ここで、別熱源放熱器は、冷媒放熱器よりも風上側に配置されている。そして、重複暖房終了条件は、冷媒放熱器を流れる冷媒の温度が重複暖房終了熱交温度以上に達することである。
【００２５】
ここでは、上記のように、空気調和システムとして、別熱源部を構成する別熱源放熱器によって加熱した空気をさらにヒートポンプ部を構成する冷媒放熱器によって加熱し、その後に室内に供給する構成を採用している。このため、別熱源暖房運転を継続させた状態でヒートポンプ暖房運転を開始させたとき、別熱源放熱器によって加熱された空気の温度が過度に高くなることで、ヒートポンプ部を構成する冷媒放熱器の温度、ひいてはヒートポンプ部の冷凍サイクルが過度に高温高圧側にシフトしてしまい、ヒートポンプ部の保護が必要になる場合がある。
【００２６】
そこで、ここでは、上記のように、冷媒放熱器を流れる冷媒の温度に基づいて、ヒートポンプ部の保護を図るようにしている。
【００２７】
これにより、ここでは、別熱源暖房運転からヒートポンプ暖房運転に切り換える際に、ヒートポンプ部の保護を図りつつ、一時的に室内温度が低下して快適性が損なわれることを抑えることができる。
【発明の効果】
【００２８】
以上の説明に述べたように、本発明によれば、別熱源暖房運転からヒートポンプ暖房運転に切り換える際に、一時的に室内温度が低下して快適性が損なわれることを抑えることができる。しかも、ヒートポンプ暖房運転が立ち上がったかどうかを適切に判定して、別熱源暖房運転からヒートポンプ暖房運転に切り換えることができる。
【図面の簡単な説明】
【００２９】
【図１】本発明の一実施形態にかかる空気調和システムの配置を示す模式図である。
【図２】空気調和システムの概略構成図である。
【図３】空気調和システムの制御ブロック図である。
【図４】ヒートポンプ暖房運転と別熱源暖房運転との切り換え動作を示すフローチャートである。
【図５】変形例＜Ａ＞にかかるヒートポンプ暖房運転と別熱源暖房運転との切り換え動作を示すフローチャートである。
【図６】変形例＜Ｂ＞にかかるヒートポンプ暖房運転と別熱源暖房運転との切り換え動作を示すフローチャートである。
【図７】変形例＜Ｃ＞にかかるヒートポンプ暖房運転と別熱源暖房運転との切り換え動作を示すフローチャートである。
【図８】変形例＜Ｄ＞にかかるヒートポンプ暖房運転と別熱源暖房運転との切り換え動作を示すフローチャートである。
【図９】変形例＜Ｅ＞にかかるヒートポンプ暖房運転と別熱源暖房運転との切り換え動作を示すフローチャートである。
【図１０】変形例＜Ｆ＞にかかる空気調和システムの概略構成図である。
【図１１】変形例＜Ｇ＞にかかる空気調和システムの配置を示す模式図である。
【図１２】変形例＜Ｇ＞にかかる空気調和システムの概略構成図である。
【図１３】変形例＜Ｈ＞にかかる空気調和システムの配置を示す模式図である。
【図１４】変形例＜Ｈ＞にかかる空気調和システムの概略構成図である。
【発明を実施するための形態】
【００３０】
以下、本発明にかかる空気調和システムの実施形態について、図面に基づいて説明する。尚、本発明にかかる空気調和システムの実施形態の具体的な構成は、下記の実施形態及びその変形例に限られるものではなく、発明の要旨を逸脱しない範囲で変更可能である。
【００３１】
（１）空気調和システムの構成
＜全体＞
図１は、本発明の一実施形態にかかる空気調和システム１の配置を示す模式図である。図２は、空気調和システム１の概略構成図である。空気調和システム１は、住宅やビルの空調に使用される装置である。ここでは、空気調和システム１は、２階建て構造の住宅１００に設置されている。住宅１００には、１階に部屋１０１、１０２が設けられ、２階に部屋１０３、１０４が設けられている。また、住宅１００には、地下室１０５が設けられている。
【００３２】
空気調和システム１は、いわゆるダクト式の空気調和システムである。空気調和システム１は、主として、室外ユニット２と、利用ユニット３と、室外ユニット２と利用ユニット３とを接続する冷媒連絡管６、７と、利用ユニット３で空調された空気を部屋１０１〜１０４に送るダクト９と、を有している。ダクト９は、部屋１０１〜１０４に分岐されて、各部屋１０１〜１０４の通風口１０１ａ〜１０４ａに接続されている。
【００３３】
ここで、室外ユニット２、利用ユニット３の一部である室内ユニット４、及び、冷媒連絡管６、７は、蒸気圧縮式の冷凍サイクルによって室内の暖房を行うヒートポンプ部６０を構成している。また、利用ユニット３の一部であるガスファーネスユニット５は、ヒートポンプ部６０とは別の熱源（ここでは、ガス燃焼による熱）によって室内の暖房を行う別熱源部７０を構成している。このように、ここでは、利用ユニット３は、ヒートポンプ部６０を構成する室内ユニット４、及び、別熱源部７０を構成するガスファーネスユニット５の両方を有している。また、利用ユニット３は、利用ユニット３の筐体３０内に部屋１０１〜１０４内の空気を取り込んで、ヒートポンプ部６０（室内ユニット４）や別熱源部７０（ガスファーネスユニット５）で空調された空気を部屋１０１〜１０４内に供給するための室内送風機４０も有している。また、利用ユニット３には、筐体３０の空気出口３１における空気の温度である吹出空気温度Ｔｒｄを検出する吹出空気温度センサ３３と、筐体３０の空気入口３２における空気の温度である室内温度Ｔｒを検出する室内温度センサ３４とが設けられている。尚、室内温度センサ３４は、利用ユニット３ではなく、部屋１０１〜１０４内に設けられていてもよい。
【００３４】
＜ヒートポンプ部＞
ヒートポンプ部６０は、上記のように、室外ユニット２、利用ユニット３の一部である室内ユニット４、及び、冷媒連絡管６、７によって構成されている。ここで、室外ユニット２と室内ユニット４とは、冷媒連絡管６、７を介して接続されている。すなわち、ヒートポンプ部６０は、冷媒回路２０は、室外ユニット２と、室内ユニット４とが冷媒連絡管６、７を介して接続されることによって構成されている。ここで、冷媒連絡管６、７は、空気調和システム１を設置する際に、現地にて施工される冷媒管である。
【００３５】
室内ユニット４は、ここでは、住宅１００の地下室１０５に設置された利用ユニット３の筐体３０内に設けられている。室内ユニット４は、冷媒連絡管６、７を介して室外ユニット２に接続されており、冷媒回路２０の一部を構成している。室内ユニット４は、主として、冷凍サイクルにおける冷媒の放熱によって空気を加熱する冷媒放熱器としての室内熱交換器４２を有している。ここでは、室内熱交換器４２は、利用ユニット３の筐体３０に形成された空気入口３２から空気出口３１までの通風路内の最も風下側に配置されている。また、室内ユニット４には、室内熱交換器４２を流れる冷媒の温度Ｔｈｘを検出する室内熱交温度センサ３５が設けられている。
【００３６】
室外ユニット２は、住宅１００の屋外に設置されている。室外ユニット２は、冷媒連絡管６、７を介して室内ユニット４に接続されており、冷媒回路２０の一部を構成している。室外ユニット２は、主として、圧縮機２１と、室外熱交換器２３と、室外膨張弁２４とを有している。圧縮機２１は、ケーシング内に図示しない圧縮要素及び圧縮要素を回転駆動する圧縮機モータ２２が収容された密閉型圧縮機である。圧縮機モータ２２は、図示しないインバータ装置を介して電力が供給されるようになっており、インバータ装置の周波数（すなわち、回転数）を変化させることによって、運転容量を可変することが可能になっている。室外熱交換器２３は、室外空気によって冷凍サイクルにおける冷媒を蒸発させる冷媒蒸発器として機能する熱交換器である。室外熱交換器２３の近傍には、室外熱交換器２３に室外空気を送るための室外ファン２５が設けられている。室外ファン２５は、室外ファンモータ２６によって回転駆動されるようになっている。室外膨張弁２４は、冷媒回路２０を循環する冷媒を減圧して冷媒放熱器としての室内熱交換器４２を流れる冷媒の流量を調節する弁である。ここで、室外膨張弁２４は、室外熱交換器２３の液側に接続された電動膨張弁である。また、室外ユニット２には、室外ユニット２が配置される住宅１００の屋外の室外空気の温度、すなわち、外気温度Ｔａを検出する室外温度センサ２７が設けられている。また、室外ユニット２は、室外ユニット２を構成する各部の動作を制御する室外側制御部２８を有している。そして、室外側制御部２８は、室外ユニット２の制御を行うために設けられたマイクロコンピュータ、メモリや圧縮機モータ２２を制御するインバータ装置等を有しており、利用ユニット３の利用側制御部３８との間で制御信号等のやりとりを行うことができるようになっている。
【００３７】
＜別熱源部＞
別熱源部７０は、上記のように、利用ユニット３の一部であるガスファーネスユニット５によって構成されている。
【００３８】
ガスファーネスユニット５は、ここでは、住宅１００の地下室１０５に設置された利用ユニット３の筐体３０内に設けられている。ここでは、ガスファーネスユニット５は、ガス燃焼式暖房装置であり、主として、燃料ガス弁５１と、ファーネスファン５２と、燃焼部５４と、ファーネス熱交換器５５と、給気管５６と、排気管５７とを有している。燃料ガス弁５１は、開閉制御が可能な電磁弁等からなり、筐体３０外から燃焼部５４まで延びる燃料ガス供給管５８に設けられている。ここで、燃料ガスとしては、天然ガスや石油ガス等が使用される。ファーネスファン５２は、給気管５５を通じて燃焼部５４に空気を取り込んで、その後、ファーネス熱交換器５５に空気を送り、排気管５７から排出するという空気の流れを生成するファンである。ファーネスファン５２は、ファーネスファンモータ５３によって回転駆動されるようになっている。燃焼部５４は、ガスバーナ等（図示せず）によって燃料ガスと空気との混合ガスを燃焼させて高温の燃焼ガスを得る機器である。ファーネス熱交換器５５は、燃焼部５４で得られた燃焼ガスの放熱によって空気を加熱する熱交換器であり、ヒートポンプ部６０とは別の熱源（ここでは、ガス燃焼による熱）の放熱によって空気を加熱する別熱源放熱器として機能するものである。ここでは、ファーネス熱交換器５５は、利用ユニット３の筐体３０に形成された空気入口３２から空気出口３１までの通風路内において、冷媒放熱器としての室内熱交換器４２よりも風上側に配置されている。
【００３９】
＜室内送風機＞
室内送風機４０は、上記のように、ヒートポンプ部６０を構成する冷媒放熱器としての室内熱交換器４２や別熱源部７０を構成する別熱源放熱器としてのファーネス熱交換器５５によって加熱される空気を部屋１０１〜１０４内に供給するための送風機である。ここでは、室内送風機４０は、利用ユニット３の筐体３０に形成された空気入口３２から空気出口３１までの通風路内において、室内熱交換器４２及びファーネス熱交換器５５の両方よりも風上側に配置されている。室内送風機４０は、室内ファン４３と、室内ファン４３を回転駆動する室内ファンモータ４４とを有している。
【００４０】
＜制御部＞
利用ユニット３は、利用ユニット３を構成する各部（室内ユニット４、ガスファーネスユニット５、及び、室内送風機４０）の動作を制御する利用側制御部３８を有している。そして、利用側制御部３８は、利用ユニット３の制御を行うために設けられたマイクロコンピュータやメモリ等を有しており、室外ユニット２との間で制御信号等のやりとりを行うことができるようになっている。
【００４１】
そして、利用ユニット３の利用側制御部３８と、室外ユニット２の室外側制御部２８とは、図２に示すように、空気調和システム１全体の運転制御を行う制御部８を構成している。制御部８は、図３に示されるように、各種センサ２７、３３、３４、３５等の検出信号を受けることができるように接続されている。そして、制御部８は、これらの検出信号等に基づいて各種機器及び弁２２、２４、２６、４４、５１、５３を制御すること、すなわち、ヒートポンプ部６０及び別熱源部７０の動作を制御することによって、空調運転（暖房運転）を行うように構成されている。ここでは、制御部８は、ヒートポンプ部６０によって部屋１０１〜１０４内の暖房を行うヒートポンプ暖房運転と、別熱源部７０によって部屋１０１〜１０４内の暖房を行う別熱源暖房運転と、を適宜切り換えて行いつつ、部屋１０１〜１０４内の室内温度Ｔｒが目標室内温度Ｔｒｓになるように制御する。ここで、図３は、空気調和システム１の制御ブロック図である。
【００４２】
（２）空気調和システムの基本動作
次に、空気調和システム１の空調運転（暖房運転）の基本動作について、図１〜図３を用いて説明する。上記のように、空気調和システム１の暖房運転には、上記のように、ヒートポンプ部６０によって室内の暖房を行うヒートポンプ暖房運転と、別熱源部７０によって室内の暖房を行う別熱源暖房運転と、がある。
【００４３】
＜ヒートポンプ暖房運転＞
ヒートポンプ暖房運転においては、冷媒回路２０内の冷媒が圧縮機２１に吸入されて圧縮されて高圧のガス冷媒となる。この高圧のガス冷媒は、ガス冷媒連絡管７を経由して、室外ユニット２から利用ユニット３の室内ユニット４に送られる。
【００４４】
利用ユニット３の室内ユニット４に送られた高圧のガス冷媒は、冷媒放熱器としての室内熱交換器４２に送られる。室内熱交換器４２に送られた高圧のガス冷媒は、室内熱交換器４２において、室内送風機４０によって供給される室内空気Ｆ１（Ｆ２）と熱交換を行って冷却されることによって凝縮して、高圧の液冷媒となる。この高圧の液冷媒は、液冷媒連絡管６を経由して、利用ユニット３の室内ユニット４から室外ユニット２に送られる。一方、室内熱交換器４２において加熱された室内空気Ｆ３は、ダクト９を通じて利用ユニット３から各部屋１０１〜１０４に送られて、暖房が行われる。
【００４５】
室外ユニット２に送られた高圧の液冷媒は、室外膨張弁２４に送られ、室外膨張弁２４によって減圧されて、低圧の気液二相状態の冷媒となる。この低圧の気液二相状態の冷媒は、冷媒蒸発器としての室外熱交換器２３に送られる。室外熱交換器２３に送られた低圧の気液二相状態の冷媒は、室外熱交換器２３において、室外ファン２５によって供給される室外空気と熱交換を行って加熱されることによって蒸発して、低圧のガス冷媒となる。この低圧のガス冷媒は、再び、圧縮機２１に吸入される。
【００４６】
そして、上記のヒートポンプ暖房運転において、制御部８は、圧縮機２１の運転容量Ｇｒを制御することによって、また、室外膨張弁２４の開度ＭＶを制御することによって、部屋１０１〜１０４内の室内温度Ｔｒが目標室内温度Ｔｒｓになるように制御している。具体的には、室内温度Ｔｒから目標室内温度Ｔｒｓを差し引いた温度差ΔＴｒが大きい場合には、圧縮機２１の運転容量Ｇｒ（例えば、圧縮機モータ２２の回転数）を大きくし、室外膨張弁２４の開度ＭＶを大きくする。具体的には、制御部８は、室内温度Ｔｒから目標室内温度Ｔｒｓを差し引いた室内温度差ΔＴｒが大きくなると、圧縮機２１の運転容量Ｇｒを大きくし、室外膨張弁２４の開度ＭＶを大きくし、室内温度差ΔＴｒが小さくなると、圧縮機２１の運転容量Ｇｒを小さくし、室外膨張弁２４の開度ＭＶを小さくする制御を行う。
【００４７】
＜別熱源暖房運転＞
別熱源暖房運転においては、燃料ガス弁５１を開けることによって燃焼部５４に燃料ガスを供給し、ファーネスファン５２によって給気管５６を経由して利用ユニット３のガスファーネスユニット５に取り込まれる空気と燃焼部５４内で混合し着火することで燃焼させ、高温の燃焼ガスを生成させる。
【００４８】
燃焼部５４内で生成した高温の燃焼ガスは、別熱源放熱器としてのファーネス熱交換器５５に送られる。ファーネス熱交換器５５に送られた高温の燃焼ガスは、ファーネス熱交換器５５において、室内送風機４０によって供給される室内空気Ｆ１と熱交換を行って冷却され、低温の燃焼ガスとなる。この低温の燃焼ガスは、排気管５７を経由して利用ユニット３のガスファーネスユニット５から排出される。一方、ファーネス熱交換器５５において加熱された室内空気Ｆ２（Ｆ３）は、ダクト９を通じて利用ユニット３から各部屋１０１〜１０４に送られて、暖房が行われる。
【００４９】
そして、上記の別熱源暖房運転において、制御部８は、燃料ガス弁５１を開閉制御することによって、部屋１０１〜１０４内の室内温度Ｔｒが目標室内温度Ｔｒｓになるように制御している。具体的には、制御部８は、室内温度Ｔｒから目標室内温度Ｔｒｓを差し引いた室内温度差ΔＴｒが大きくなると、燃料ガス弁５１を開け、室内温度差ΔＴｒが小さくなると、燃料ガス弁５１を閉止する制御を行う。
【００５０】
（３）ヒートポンプ暖房運転と別熱源暖房運転との切り換え動作
＜基本の切り換え動作＞
空気調和システム１では、外気温度Ｔａが非常に低い場合にヒートポンプ暖房運転では室内（ここでは、部屋１０１〜１０４）の空調負荷（暖房負荷）をカバーできない場合があるため、外気温度Ｔａの低下によって、ヒートポンプ暖房運転を、別熱源暖房運転に切り換え、外気温度Ｔａの上昇によって、別熱源暖房運転をヒートポンプ暖房運転に切り換える動作を行う必要がある。
【００５１】
そこで、ここでは、基本の切り換え動作として、ヒートポンプ暖房運転を行っている際に、外気温度Ｔａが第１切換外気温度Ｔａｓ１に達する第１切換条件を満たす場合に、ヒートポンプ暖房運転から別熱源暖房運転に切り換えるようにし、別熱源暖房運転を行っている際に、外気温度Ｔａが第２切換外気温度Ｔａｓ２に達する第２切換条件を満たす場合に、別熱源暖房運転からヒートポンプ暖房運転に切り換えるようにしている。
【００５２】
次に、基本の切り換え動作について、図１〜図４を用いて説明する。ここで、図４は、ヒートポンプ暖房運転と別熱源暖房運転との切り換え動作を示すフローチャートである。尚、ヒートポンプ暖房運転と別熱源暖房運転との切り換え動作は、制御部８によって行われる。
【００５３】
具体的には、まず、空気調和システム１の運転が開始すると、ステップＳＴ１のヒートポンプ暖房運転を行う。そして、ステップＳＴ１のヒートポンプ暖房運転時においては、ステップＳＴ２の第１切換条件を満たすかどうかの判定を行う。この第１切換条件は、ヒートポンプ暖房運転から別熱源暖房運転への切り換えを行うかどうかの判定条件である。尚、ここでは、ヒートポンプ暖房運転時における外気温度Ｔａが第１切換外気温度Ｔａｓ１以下に達することに加えて、切り換えのタイミングを適切なものとして快適性及び省エネ性を向上させることができるようにするために、ヒートポンプ部６０による暖房能力が上限に達することも判定条件としている。すなわち、ここでは、外気温度Ｔａが第１切換外気温度Ｔａｓ１に達し、かつ、ヒートポンプ部６０による暖房能力が上限に達することを第１切換条件としている。ここで、ヒートポンプ部６０による暖房能力が上限に達しているかどうかは、室内温度Ｔｒやヒートポンプ部６０を構成する機器（ここでは、圧縮機２１や室外膨張弁２４）の運転容量に基づいて判定される。尚、第１切換条件は、外気温度Ｔａの条件だけであってもよい。
【００５４】
そして、ステップＳＴ２において、第１切換条件を満たすと判定された場合には、ステップＳＴ３の処理に移行、すなわち、ヒートポンプ暖房運転から別熱源暖房運転に切り換える。一方、ステップＳＴ２において、第１切換条件を満たさないと判定された場合には、ステップＳＴ１のヒートポンプ暖房運転を継続する。
【００５５】
次に、ステップＳＴ３の別熱源暖房運転時においては、ステップＳＴ４の第２切換条件を満たすかどうかの判定を行う。この第２切換条件は、別熱源暖房運転からヒートポンプ暖房運転への切り換えを行うかどうかの判定条件である。ここでは、別熱源暖房運転時における外気温度Ｔａが第２切換外気温度Ｔａｓ２以上に達することである。
【００５６】
そして、ステップＳＴ４において、第２切換条件を満たすと判定された場合には、後述の別熱源暖房運転を継続させた状態でヒートポンプ暖房運転を開始させる動作（ステップＳＴ５、ＳＴ６）を経て、ステップＳＴ１の処理に移行、すなわち、別熱源暖房運転からヒートポンプ暖房運転に切り換える。一方、ステップＳＴ４において、第２切換条件を満たさないと判定された場合には、ステップＳＴ３の別熱源暖房運転を継続する。
【００５７】
＜別熱源暖房運転からヒートポンプ暖房運転に切り換える際の詳細な動作＞
上記の基本の切り換え動作では、別熱源暖房運転からヒートポンプ暖房運転に切り換える際に、ヒートポンプ暖房運転の立ち上がりに時間がかかるため、一時的に室内温度Ｔｒが低下して快適性が損なわれるおそれがある。
【００５８】
そこで、ここでは、別熱源暖房運転からヒートポンプ暖房運転に切り換える際に、一時的に室内温度が低下して快適性が損なわれることを抑えるために、別熱源暖房運転を継続させた状態でヒートポンプ暖房運転を開始させ、重複暖房終了条件を満たした後に、別熱源暖房運転を終了させるようにしている。
【００５９】
次に、別熱源暖房運転からヒートポンプ暖房運転に切り換える際の詳細な動作について説明する。
【００６０】
具体的には、まず、ステップＳＴ４において、第２切換条件を満たすと判定された場合には、ステップＳＴ５の処理に移行して、別熱源暖房運転を継続させた状態でヒートポンプ暖房運転を開始させる。これにより、別熱源部７０によってヒートポンプ暖房運転の立ち上がり時の暖房能力不足を補助することができる。そして、ステップＳＴ５の別熱源暖房運転を伴うヒートポンプ暖房運転時においては、ステップＳＴ６の重複暖房終了条件を満たすかどうかの判定と、ステップＳＴ７の第１切換条件を満たすかどうかの判定とを行う。
【００６１】
ここで、ステップＳＴ７の第１切換条件を満たすかどうかの判定は、ステップＳＴ２の第１切換条件を満たすかどうかの判定と同じ判定内容であり、ステップＳＴ５の別熱源暖房運転を伴うヒートポンプ暖房運転時に第１切換条件を満たすと判定された場合には、ステップＳＴ３の処理に移行、すなわち、ステップＳＴ１のヒートポンプ暖房運転に移行せずに、別熱源暖房運転に戻り、再度、ステップＳＴ４の第２切換条件を満たすかどうかの判定が行われる。
【００６２】
一方、ステップＳＴ６の重複暖房終了条件は、別熱源暖房運転を終了させるかどうか、すなわち、ヒートポンプ暖房運転が立ち上がったかどうかの判定条件である。ここでは、冷媒放熱器としての室内熱交換器４２によって加熱された後の空気の温度Ｔｒｄが重複暖房終了空気温度Ｔｒｄｓ１以上に達することを重複暖房終了条件としている。ここで、この条件を採用したのは、別熱源暖房運転を継続させた状態でヒートポンプ暖房運転を開始させたとき、ヒートポンプ部６０を構成する冷媒放熱器としての室内熱交換器４２によって加熱された後の空気の温度Ｔｒｄが十分に上昇していれば、ヒートポンプ部６０の暖房能力Ｑａが十分に大きくなっているもの、すなわち、ヒートポンプ暖房運転が立ち上がっているものと推測できるからである。
【００６３】
このように、ここでは、ヒートポンプ部６０を構成する冷媒放熱器としての室内熱交換器４２によって加熱された後の空気の温度Ｔｒｄに基づいて、ヒートポンプ暖房運転が立ち上がったかどうかを判定するようにしている。
【００６４】
そして、ステップＳＴ６において、重複暖房終了条件を満たすと判定された場合には、ステップＳＴ１の処理に移行、すなわち、ヒートポンプ暖房運転に移行する。
【００６５】
これにより、ここでは、別熱源暖房運転からヒートポンプ暖房運転に切り換える際に、一時的に室内温度Ｔｒが低下して快適性が損なわれることを抑えることができる。また、ここでは、ヒートポンプ暖房運転が立ち上がったかどうかを適切に判定して、別熱源暖房運転からヒートポンプ暖房運転に切り換えることができる。
【００６６】
（４）変形例
＜Ａ＞
上記実施形態におけるステップＳＴ６の重複暖房終了条件は、上記実施形態のものに限定されるものではない。
【００６７】
例えば、図５に示すように、制御部８が、ステップＳＴ６において、冷媒放熱器としての室内熱交換器４２及び別熱源放熱器としてのファーネス熱交換器５５の両方によって加熱された後の空気の温度Ｔｒｄ及び室内送風機４０によって室内に供給される空気の流量Ｇａから算出される暖房能力Ｑｔから別熱源部７０の暖房能力Ｑｇを差し引いた暖房能力Ｑａが重複暖房終了能力Ｑａｓ１以上に達することを重複暖房終了条件としてもよい。ここで、この条件を採用したのは、別熱源暖房運転を継続させた状態でヒートポンプ暖房運転を開始させたとき、実質的には、別熱源部７０の暖房能力Ｑｇによって空気の温度Ｔｒｄが上昇しているだけで、ヒートポンプ部６０の暖房能力Ｑａが十分に大きくなっていない場合があるからである。ここでは、冷媒放熱器としての室内熱交換器４２及び別熱源放熱器としてのファーネス熱交換器５５の両方によって加熱された後の空気の温度Ｔｒｄから冷媒放熱器としての室内熱交換器４２及び別熱源放熱器としてのファーネス熱交換器５５の両方によって加熱される前の室内空気の温度Ｔｒを差し引き、これにより得られた温度差に、室内送風機４０の室内ファンモータ４４の回転数等から算出した室内空気の流量Ｇａを乗算することによって、室内熱交換器４２及びファーネス熱交換器５５の両方における交換熱量（すなわち、ヒートポンプ部６０及び別熱源部７０の合計の暖房能力Ｑｔ）を算出する。そして、別熱源部７０の暖房能力Ｑｇが一定の暖房能力であると仮定して、暖房能力Ｑｔから別熱源部７０の暖房能力Ｑｇを差し引くことで、ヒートポンプ部６０の暖房能力Ｑａを算出し、この暖房能力Ｑａが重複暖房終了能力Ｑａｓ１以上に達しているかどうかを判定する。
【００６８】
このように、ここでは、冷媒放熱器としての室内熱交換器４２及び別熱源放熱器としてのファーネス熱交換器５５の両方によって加熱された後の空気の温度Ｔｒｄ及び室内送風機４０によって室内に供給される空気の流量Ｇａから算出される暖房能力Ｑｔから別熱源部７０の暖房能力Ｑｇを差し引いた暖房能力Ｑａ、すなわち、ヒートポンプ部６０の暖房能力Ｑａに基づいて、ヒートポンプ暖房運転が立ち上がったかどうかを判定するようにしている。そして、この判定方法でも、ヒートポンプ暖房運転が立ち上がったかどうかを適切に判定して、別熱源暖房運転からヒートポンプ暖房運転に切り換えることができる。
【００６９】
＜Ｂ＞
上記実施形態におけるステップＳＴ６の重複暖房終了条件は、上記実施形態やその変形例のものに限定されるものではない。
【００７０】
例えば、図６に示すように、制御部８が、ステップＳＴ３の別熱源暖房運転時に、別熱源放熱器としてのファーネス熱交換器５５によって加熱された後の空気の温度Ｔｒｄｍを記憶して、この空気の温度Ｔｒｄｍから別熱源部７０の暖房能力Ｑｇによる空気の温度の上昇分ΔＴｇを推定する。そして、ステップＳＴ６において、この空気の温度の上昇分ΔＴｇを考慮して重複暖房終了空気温度Ｔｒｄｓ２を決定し、冷媒放熱器としての室内熱交換器４２及び別熱源放熱器としてのファーネス熱交換器５５の両方によって加熱された後の空気の温度Ｔｒｄがこの重複暖房終了空気温度Ｔｒｄｓ２以上に達することを重複暖房終了条件としてもよい。ここで、この条件を採用したのは、別熱源暖房運転を継続させた状態でヒートポンプ暖房運転を開始させたとき、実質的には、別熱源部７０の暖房能力Ｑｇによって空気の温度Ｔｒｄが上昇しているだけで、ヒートポンプ部６０の暖房能力Ｑａが十分に大きくなっていない場合があるからである。ここで、別熱源部７０の暖房能力Ｑｇによる空気の温度Ｔｒｄの上昇分ΔＴｇは、上記のように、別熱源暖房運転を行った場合の別熱源放熱器としてのファーネス熱交換器５５によって加熱された後の空気の温度（ここでは、温度Ｔｒｄｍ）から推定することができる。このため、冷媒放熱器としての室内熱交換器４２及び別熱源放熱器としてのファーネス熱交換器５５の両方によって加熱された後の空気の温度Ｔｒｄを知ることができれば、ヒートポンプ暖房運転による空気の温度の上昇分も推定することができる。
【００７１】
このように、ここでは、冷媒放熱器としての室内熱交換器４２及び別熱源放熱器としてのファーネス熱交換器５５の両方によって加熱された後の空気の温度Ｔｒｄに基づいて、ヒートポンプ暖房運転が立ち上がったかどうかを判定するようにしている。より具体的には、別熱源暖房運転を行った場合の別熱源放熱器としてのファーネス熱交換器５５によって加熱された後の空気の温度Ｔｒｄｍと、冷媒放熱器としての室内熱交換器４２及び別熱源放熱器としてのファーネス熱交換器５５の両方によって加熱された後の空気の温度Ｔｒｄとに基づいて、ヒートポンプ暖房運転が立ち上がったかどうかを判定するようにしている。そして、この判定方法でも、ヒートポンプ暖房運転が立ち上がったかどうかを適切に判定して、別熱源暖房運転からヒートポンプ暖房運転に切り換えることができる。
【００７２】
＜Ｃ＞
上記実施形態におけるステップＳＴ６の重複暖房終了条件は、上記実施形態やその変形例のものに限定されるものではない。
【００７３】
例えば、図７に示すように、制御部８が、ステップＳＴ６において、室内温度Ｔｒから目標室内温度Ｔｒｓを差し引いた温度差ΔＴｒが重複暖房終了空気温度差ΔＴｒｓ１以上に達することを重複暖房終了条件としてもよい。ここで、この条件を採用したのは、別熱源暖房運転を継続させた状態でヒートポンプ暖房運転を開始させたとき、室内温度Ｔｒから目標室内温度Ｔｒｓを差し引いた温度差ΔＴｒｓが十分に大きくなる場合には、ヒートポンプ部６０の暖房能力Ｑａと別熱源部７０の暖房能力Ｑｇとの合計の暖房能力Ｑｔが十分に大きくなっているため、ヒートポンプ部６０の暖房能力Ｑａも十分に大きくなっているもの、すなわち、ヒートポンプ暖房運転が立ち上がっているものと推測できるからである。
【００７４】
このように、ここでは、室内温度Ｔｒから目標室内温度Ｔｒｓを差し引いた温度差ΔＴｒｓに基づいて、ヒートポンプ暖房運転が立ち上がったかどうかを判定するようにしている。そして、この判定方法でも、ヒートポンプ暖房運転が立ち上がったかどうかを適切に判定して、別熱源暖房運転からヒートポンプ暖房運転に切り換えることができる。
【００７５】
また、この温度差ΔＴｒに基づく重複暖房終了条件は、上記実施形態やその変形例Ａ、Ｂにおけるヒートポンプ部６０を構成する冷媒放熱器としての室内熱交換器４２によって加熱された後の空気の温度Ｔｒｄやヒートポンプ部６０の暖房能力Ｑａ、冷媒放熱器としての室内熱交換器４２及び別熱源放熱器としてのファーネス熱交換器５５の両方によって加熱された後の空気の温度Ｔｒｄに基づく重複暖房終了条件と併用してもよい。
【００７６】
＜Ｄ＞
上記実施形態やその変形例では、空気調和システム１として、別熱源部７０を構成する別熱源放熱器としてのファーネス熱交換器５５によって加熱した空気をさらにヒートポンプ部６０を構成する冷媒放熱器としての室内熱交換器４２によって加熱し、その後に室内に供給する構成を採用している。このため、別熱源暖房運転を継続させた状態でヒートポンプ暖房運転を開始させたとき、別熱源放熱器としてのファーネス熱交換器５５によって加熱された空気の温度が過度に高くなることで、ヒートポンプ部６０を構成する冷媒放熱器としての室内熱交換器４２の温度Ｔｈｘ、ひいてはヒートポンプ部６０の冷凍サイクルが過度に高温高圧側にシフトしてしまい、ヒートポンプ部６０の保護が必要になる場合がある。
【００７７】
そこで、ここでは、図８に示すように、制御部８が、冷媒放熱器としての室内熱交換器４２を流れる冷媒の温度Ｔｈｘが重複暖房終了熱交温度Ｔｈｘｓ１以上に達することを重複暖房終了条件としている。尚、図８においては、上記実施形態のヒートポンプ部６０を構成する冷媒放熱器としての室内熱交換器４２によって加熱された後の空気の温度Ｔｒｄに基づく重複暖房終了条件と併用した例を示しているが、変形例Ａ〜Ｃの重複暖房終了条件と併用してもよい。
【００７８】
このように、ここでは、冷媒放熱器としての室内熱交換器４２を流れる冷媒の温度Ｔｈｘに基づいて、ヒートポンプ部６０の保護を図るようにしている。
【００７９】
これにより、ここでは、別熱源暖房運転からヒートポンプ暖房運転に切り換える際に、ヒートポンプ部６０の保護を図りつつ、一時的に室内温度Ｔｒが低下して快適性が損なわれることを抑えることができる。
【００８０】
＜Ｅ＞
上記実施形態におけるステップＳＴ６の重複暖房終了条件は、上記実施形態やその変形例のものに限定されるものではない。
【００８１】
例えば、図９に示すように、制御部８が、ステップＳＴ６において、別熱源暖房運転を継続させた状態でヒートポンプ暖房運転を開始させたときからの時間ｔが重複暖房終了時間ｔｓ１に達することを重複暖房終了条件としてもよい。そして、この判定方法でも、ヒートポンプ暖房運転が立ち上がったかどうかを適切に判定して、別熱源暖房運転からヒートポンプ暖房運転に切り換えることができる。
【００８２】
また、別熱源暖房運転を継続させた状態でヒートポンプ暖房運転を開始させたときからの時間ｔに基づく重複暖房終了条件は、上記実施形態やその変形例Ａ〜Ｄにおけるヒートポンプ部６０を構成する冷媒放熱器としての室内熱交換器４２によって加熱された後の空気の温度Ｔｒｄやヒートポンプ部６０の暖房能力Ｑａ、冷媒放熱器としての室内熱交換器４２及び別熱源放熱器としてのファーネス熱交換器５５の両方によって加熱された後の空気の温度Ｔｒｄ、ヒートポンプ部６０を構成する冷媒放熱器としての室内熱交換器４２の温度Ｔｈｘに基づく重複暖房終了条件と併用してもよい。
【００８３】
＜Ｆ＞
上記実施形態やその変形例では、利用ユニット３において、別熱源部７０を構成するガスファーネスユニット５（すなわち、別熱源放熱器としてのファーネス熱交換器５５）をヒートポンプ部６０を構成する室内ユニット４（すなわち、冷媒放熱器としての室内熱交換器４２）の風上側に配置しているが、これに限定されるものではない。
【００８４】
例えば、図１０に示すように、別熱源部７０としてのガスファーネスユニット５（すなわち、別熱源放熱器としてのファーネス熱交換器５５）をヒートポンプ部６０としての室内ユニット４（すなわち、冷媒放熱器としての室内熱交換器４２）の風下側に配置してもよい。
【００８５】
このような構成においても、変形例Ｄを除いた上記実施形態やその変形例Ａ〜Ｃ、Ｅと同様のヒートポンプ暖房運転と別熱源暖房運転との切り換え動作を行うことができる。但し、ステップＳＴ６において、ヒートポンプ部６０を構成する冷媒放熱器としての室内熱交換器４２によって加熱された後の空気の温度Ｔｒｄに基づく重複暖房終了条件を採用する場合には、冷媒放熱器としての室内熱交換器４２と別熱源放熱器としてのファーネス熱交換器５５との間に温度センサ３６を設ける必要がある。
【００８６】
＜Ｇ＞
上記実施形態やその変形例では、別熱源部７０を構成するガスファーネスユニット５とヒートポンプ部６０を構成する室内ユニット４とが一体の利用ユニット３として構成されているが、これに限定されるものではない。
【００８７】
例えば、図１１及び図１２に示すように、別熱源部７０を構成するガスファーネスユニット５とヒートポンプ部６０を構成する室内ユニット４とが別置きになっていてもよい。但し、この場合には、上記実施形態やその変形例でガスファーネスユニット５及び室内ユニット４の両方に共通に設けられていた室内送風機４０等の各種機器やセンサを、ガスファーネスユニット５及び室内ユニット４の両方に設ける必要がある。
【００８８】
このような構成においても、変形例Ａ、Ｂ、Ｄを除いた上記実施形態やその変形例Ｃ、Ｅと同様のヒートポンプ暖房運転と別熱源暖房運転との切り換え動作を行うことができる。
【００８９】
＜Ｈ＞
上記実施形態やその変形例では、室外ユニット２に対して利用ユニット３（室内ユニット４）が１台接続された構成であるが、これに限定されるものではない。
【００９０】
例えば、図１３及び図１４に示すように、室外ユニット２に対して複数台（ここでは、２台）の利用ユニット３（室内ユニット４）が冷媒連絡管６、７を介して接続された構成にして、一方の利用ユニット３を部屋１０３、１０４の空調に使用し、他方の利用ユニット３を部屋１０１、１０２の空調に使用してもよい。尚、図１４では、一方の利用ユニット３の詳細を図示し、他方の利用ユニット３については、ヒートポンプ部６０を構成する冷媒放熱器としての室内熱交換器４２のみを図示している。また、室外ユニット２に対して複数台の利用ユニット３を接続する構成を採用する場合には、地下室１０５ではなく、空調に使用される部屋又はその近傍に対応する利用ユニット３を設けるようにしてもよい。また、各部屋１０１〜１０４に対応する利用ユニット３を設ける場合には、ダクト式ではなく、各部屋１０１〜１０４に床置き設置や壁掛け設置、天井設置などの型式の利用ユニット３を設けるようにしてもよい。また、各部屋１０１〜１０４に利用ユニット３を設ける場合にも、変形例Ｅと同様に、各部屋別熱源部７０を構成するガスファーネスユニット５とヒートポンプ部６０を構成する室内ユニット４とを別置きで設けてもよい。
【００９１】
このような構成においても、上記実施形態やその変形例Ａ〜Ｅと同様のヒートポンプ暖房運転と別熱源暖房運転との切り換え動作を行うことができる。
【００９２】
＜Ｉ＞
上記実施形態やその変形例では、ヒートポンプ部６０が暖房専用の冷媒回路２０を有しているが、冷媒回路２０に四路切換弁等を設けて冷媒の循環方向を切り換えることができるようにして、冷房運転も可能な構成にしてもよい。
【００９３】
＜Ｊ＞
上記実施形態やその変形例では、別熱源部７０として燃料ガスの燃焼を熱源とするガスファーネスユニット５を採用しているが、これに限定されるものではない。例えば、温水ボイラや電気ヒータなどのように、ヒートポンプ部６０とは別の熱源であればどのようなものでも別熱源部７０として採用可能である。
【産業上の利用可能性】
【００９４】
本発明は、蒸気圧縮式の冷凍サイクルによって室内の暖房を行うヒートポンプ部と、ヒートポンプ部とは別の熱源によって室内の暖房を行う別熱源部とを有する空気調和システムに対して、広く適用可能である。
【符号の説明】
【００９５】
１    空気調和システム
８    制御部
４０  室内送風機
４２  室内熱交換器（冷媒放熱器）
５５  ファーネス熱交換器（別熱源放熱器）
６０  ヒートポンプ部
７０  別熱源部
【先行技術文献】
【特許文献】
【００９６】
【特許文献１】特開昭６４−５４１６０号公報
【図１】
0005861726.tif 000002
【図２】
0005861726.tif 000003
【図３】
0005861726.tif 000004
【図４】
0005861726.tif 000005
【図５】
0005861726.tif 000006
【図６】
0005861726.tif 000007
【図７】
0005861726.tif 000008
【図８】
0005861726.tif 000009
【図９】
0005861726.tif 000010
【図１０】
0005861726.tif 000011
【図１１】
0005861726.tif 000012
【図１２】
0005861726.tif 000013
【図１３】
0005861726.tif 000014
【図１４】
0005861726.tif 000015